(57)【要約】【課題】耳糸開口機構の上流側で発生する耳糸同士の捻れを解消しつつ耳糸を供給するに際し、給糸機構による安定した耳糸の供給が行えるねじり耳形成装置を提供する。【解決手段】ねじり耳形成装置は、耳糸開口機構と給糸機構とを含み、その給糸機構が、一対の耳糸ボビンのうちの、給糸機構からの耳糸の引き出し方向に関し、上流側に配置される耳糸ボビンを支持する第１の支持体と、その下流側に配置される耳糸ボビンを支持する第２の支持体と、前記第１の支持体に支持された耳糸ボビンから引き出された耳糸が挿通されて該耳糸を前記第２の支持体に支持された耳糸ボビン周りに回転させる耳糸ガイドと、該耳糸ガイドに回転運動を与える駆動装置とを備え、更にこの駆動装置が、前記第２の支持体よりも前記給糸機構の耳糸引き出し引き出し方向に関し下流側に配置されている。【選択図】  図１
2004270103.tif 000002
【特許請求の範囲】
【請求項１】
仮想的な回転軸線を間にして間隔をおいた一対のメールを前記回転軸線周りに公転させて耳糸に開口運動を行わせる耳糸開口機構と、前記耳糸開口機構に耳糸を供給する一対の耳糸ボビンを有する給糸機構であって前記耳糸開口機構のメールの公転によってその上流側で生じる耳糸の捻転を撚戻すようにして前記耳糸開口機構に対し耳糸を供給する給糸機構とを備えたねじり耳形成装置において、
前記給糸機構は、前記一対の耳糸ボビンのうちの、前記給糸機構からの耳糸の引き出し方向に関し、上流側に配置される耳糸ボビンを支持する第１の支持体と、その下流側に配置される耳糸ボビンを支持する第２の支持体と、前記第１の支持体に支持された耳糸ボビンから引き出された耳糸が挿通されて該耳糸を前記第２の支持体に支持された耳糸ボビン周りに回転させる耳糸ガイドと、該耳糸ガイドに回転運動を与える駆動装置とを備え、
前記駆動装置は、前記第２の支持体よりも前記給糸機構の耳糸引き出し方向に関し下流側に配置される、
ことを特徴とする織機のねじり耳形成装置。
【請求項２】
前記第２の支持体は、そこに支持される耳糸ボビンが前記給糸機構からの耳糸の引き出し方向に対しそれとは反対の向きに耳糸が引き出されるように耳糸ボビンを支持しており、その耳糸が、耳糸ボビンから引き出された後に転向されて前記耳糸ガイドに挿通される、
ことを特徴とする請求項１に記載の織機のねじり耳形成装置。
【請求項３】
前記駆動装置は、その駆動軸に前記耳糸開口機構が作動連結され、前記耳糸ガイドと前記耳糸開口機構とを共に同期させて駆動する、
ことを特徴とする請求項１または２のいずれか一項に記載の織機のねじり耳形成装置。
【発明の詳細な説明】
【０００１】
【発明が属する技術分野】
本発明は、織機のねじり耳形成装置に関し、特に、一対のメールを仮想的な回転軸線周りに公転させて耳糸を開口させる耳糸開口機構と、一対の耳糸ボビンをから引き出した各耳糸を耳糸開口機構に供給する給糸機構とを備えたねじり耳形成装置に関する。
【０００２】
【従来の技術】
前述のような織機のねじり耳形成装置として、特許文献１、特許文献２及び特許文献３に記載の技術が知られている。
【０００３】
特許文献１に記載のねじり耳形成装置は、回転軸線を間にして間隔をおいた一対のメールを、遊星歯車機構を用いて公転させることにより、耳糸に開口運動を与える耳糸開口機構と、耳糸を耳糸開口機構に供給する給糸機構とを含み、給糸機構は、耳糸開口機構と給糸機構との間における耳糸の捻れを防止すべく耳糸開口機構の公転に同期して回転される。
【０００４】
上記ねじり耳形成装置において、給糸機構は、導糸のために中空とされた中空軸と、中空軸に取り付けられた回転板とを備え、一対の耳糸ボビンは該耳糸ボビンの軸線が回転板の回転軸線と平行に伸びる状態に回転板に該回転板の回転軸線を間にして配置される。各耳糸は、中空軸を介して耳糸開口装置に導かれると共に、回転板の回転に同期して回転される。
【０００５】
一方、特許文献２、３に記載のねじり耳形成装置では、耳糸開口機構に耳糸を供給する給糸機構を、該給糸機構からの耳糸の引き出し方向に間隔をおいて配置されて、それぞれが回転（自転）不能に支持体に支持された一対の耳糸ボビンを有するものとすると共に、駆動装置によって回転される回転体に支持されて上記耳糸の引き出し方向の上流側に配置された耳糸ボビンから引き出される耳糸が挿通される耳糸ガイドを備え、上流側の耳糸ボビンから引き出された耳糸を、上記耳糸ガイドにより、下流側の耳糸ボビン周りを回転させつつ供給することにより、耳糸開口機構の公転に伴う２つの耳糸の捻れを撚戻しつつ耳糸開口機構に耳糸を供給している。
【０００６】
【特許文献１】
特開昭５９−２６５４４号（第４図）
【特許文献２】
特開２０００−３１４０４１号（図１０）
【特許文献３】
特開昭６０−３４６４２号（第４図）
【０００７】
【解決しようとする課題】
織機においては、運転停止又は再運転のたびに、両耳糸ボビンを急速に停止又は回転させなければならない場合がある。しかし、特許文献１に記載の技術では、一対の耳糸ボビンを回転軸の回転軸線を間にして間隔をおいて配置しているから、回転軸周りの慣性モーメントが大きい。そのような技術では、両耳糸ボビンに起因する慣性モーメントが回転板や回転軸に過大な力として作用するから、回転板や回転軸の破損を招くおそれがある。
【０００８】
一方、特許文献２、３に記載の技術では、両耳糸ボビンは、対応する各支持体に回転不能に支持されているだけであり、特許文献１のように耳糸ボビンが回転軸周りを回転することがないため、耳糸ボビンの回転に伴う前記のような回転モーメントは発生しない。
【０００９】
なお、特許文献２、３に記載の技術では、上流側の耳糸ボビンから引き出される耳糸は、両耳糸ボビン間に配置された駆動装置により回転される耳糸ガイドを介し、下流側の耳糸ボビンを迂回するように引き出されている。すなわち、上流側の耳糸ボビンの耳糸は、下流側の耳糸ボビンを迂回すべく一旦下流側の耳糸ボビンから離間する方向へ案内されるものであるが、耳糸開口機構へ両耳糸を供給する場合、これら両耳糸を再度接近した位置に案内する必要があり、例えば、特許文献２に記載の技術では、下流側の耳糸ガイドの前方に両耳糸が挿通されるヤーンガイドを設けている。そして、特許文献２に記載の技術では、上流側耳糸ボビンの耳糸を案内する耳糸ガイドを、このヤーンガイドの近傍まで延在する構成を採用している。
【００１０】
このような特許文献２に記載の技術の場合、特許文献１に記載の技術と同様に、慣性モーメントが問題となる場合がある。すなわち、特許文献２に記載の技術では、耳糸ガイドを回転駆動する駆動装置が一対の耳糸ボビンの間に設けられており、上流側耳糸ボビンの耳糸は、耳糸ガイドの駆動側から挿通されて耳糸ガイドにより案内される構成となっている。この場合、上流側の耳糸ボビンの耳糸を、耳糸ガイドにより下流側ボビン前方に配置されたヤーンガイド近傍まで案内しようとすると、耳糸ガイドが必然的に長尺の部材とならざるを得ず、これに伴って耳糸ガイドの回転に伴う慣性モーメントは増大してしまう。そしてこの結果、織機の停止時等における耳糸ガイドの慣性モーメントがその駆動装置に過大な力として作用するため、駆動装置の早期の破損を招いてしまう。
【００１１】
なお、上記の特許文献２に記載の技術における問題を回避すべく、特許文献３に記載のように、耳糸ガイドを短くすることが考えられる。しかし、このような構成では、耳糸ガイドの下流側端とヤーンガイドとの間の耳糸は、耳糸ガイド内に挿通されて案内され、しかも積極的に回転運動を与えられるものではなく、自由な状態で単に振り回されているだけである。この場合、この耳糸ガイドとヤーンガイドとの間に延在する耳糸は、その回転に伴う遠心力と空気抵抗を受け、これにより大きくバルーニングをすることとなると共に、そのバルーニングが次第に大きくなってしまう。その結果、この耳糸が他の部材や下流側の耳糸ボビンの耳糸に引っ掛かり、もしくは絡み付き、安定した耳糸の供給を阻害する要因となる。また、この耳糸ガイドとヤーンガイドとの間に延在する耳糸は、ヤーンガイドよりも遠く離れた上流側で耳糸ガイドに回転運動を与えられているだけである。このため、例えば、ヤーンガイドとの摺動抵抗やヤーンガイドの案内面に付着した風綿や糸屑等の影響によって、耳糸がヤーンガイド内で回転し難い状況が発生した場合、この耳糸は、ヤーンガイドよりも上流側においてのみ回転する状態となり、これが下流側耳糸ボビンもしくはその周囲の部材に巻き付くこととなって、これもまた、安定した耳糸の供給を阻害する要因となる。
【００１２】
また、特許文献２、３に記載の技術では、一対の耳糸ボビンは、その支持体に対し回転不能に支持され、耳糸は、給糸機構からの耳糸引き出し方向に向けて引き出されている。従って、下流側の耳糸ボビンから引き出される耳糸については、単に引き出されているだけであり、その耳糸に対しては全く撚りが掛けられない。また、上流側の耳糸ボビンから引き出される耳糸は、耳糸ガイドに挿通されて回転されているが、これは単に公転運動を行っているだけであり、耳糸自体が自転していないため、この場合も耳糸によりはかからない。但し、耳糸ガイドの内壁との間の摺動により若干の回転を与えられて撚りが発生する場合があるが、それは僅かなものである。すなわち、特許文献２、３に記載の技術では、一対の耳糸ボビンの両方について、いずれも引き出される耳糸に撚りが掛けられないか、あるいは一方に掛けられたとしてもそれは僅かなものであって十分なものとはいえないものである。そして、このようなものの場合、織布の耳締まりが悪くなるといった織り欠点が発生する。
【００１３】
以上の従来技術の問題点を鑑み、本発明の目的は、耳糸開口機構の上流側で発生する耳糸同士の捻れを解消しつつ耳糸を供給するに際し、耳糸ボビンや耳糸ガイドの回転に伴う慣性モーメントに起因して給糸機構が破損するのを防止すると共に、給糸機構による安定した耳糸の供給が行えるねじり耳形成装置を提供することにある。
【００１４】
【課題を解決するための手段】
本発明は、上記目的を達成するためになされたものであって、その構成として、仮想的な回転軸線を間にして間隔をおいた一対のメールを前記回転軸線周りに公転させて耳糸に開口運動を行わせる耳糸開口機構と、前記耳糸開口機構に耳糸を供給する一対の耳糸ボビンを有する給糸機構であって前記耳糸開口装置のメールの公転によってその上流側で生じる耳糸の捻転を撚戻すようにして前記耳糸開口装置に対し耳糸を供給する給糸機構とを含む。
【００１５】
そして、本発明のねじり耳形成装置は、上記給糸機構が、前記一対の耳糸ボビンのうちの、給糸機構からの耳糸の引き出し方向に関し、上流側に配置される耳糸ボビンを支持する第１の支持体と、その下流側に配置される耳糸ボビンを支持する第２の支持体と、前記第１の支持体に支持された耳糸ボビンから引き出された耳糸が挿通されて該耳糸を前記第２の支持体に支持された耳糸ボビン周りに回転させる耳糸ガイドと、該耳糸ガイドに回転運動を与える駆動装置とを備え、更にこの駆動装置が、前記第２の支持体よりも前記給糸機構の耳糸引き出し方向に関し下流側に配置されていることをその要旨とする。
【００１６】
なお、上記第２の支持体を、そこに支持される耳糸ボビンが上記給糸機構からの耳糸の引き出し方向に対しそれとは反対の向きに耳糸が引き出されるように耳糸ボビンを支持しており、そして、その耳糸が耳糸ボビンから引き出された後に転向されて上記耳糸ガイドに挿通されるものとしてもよい。
【００１７】
また、上記駆動装置の駆動軸に上記耳糸開口機構が作動連結されたものとして、この単一の駆動装置により、上記耳糸ガイドと上記耳糸開口機構とが同期駆動されるものとしてもよい。
【００１８】
【作用及び効果】
上記本発明の構成によれば、一対の耳糸ボビンは、給糸機構の耳糸引き出し方向に間隔をおいて配置された対応する第１、第２の支持体に支持されているだけであり、耳糸ボビンが回転軸周りを回転する構成とはなっていないため、耳糸ボビンの回転軸周りの回転に伴う慣性モーメントに起因して給糸機構が早期に破損するといった問題が発生することはない。
【００１９】
また、本発明の構成によれば、耳糸ガイドを回転駆動する駆動装置が、給糸機構の耳糸引き出し方向に関し、下流側の耳糸ボビンの更に下流側に配置されるため、耳糸ガイドを長尺の部材とすることなく、上流側の耳糸ボビンの耳糸を下流側の耳糸ボビンから引き出された耳糸の近傍にまで耳糸ガイドにより案内することが可能となる。従って、耳糸ガイドの回転に伴う慣性モーメントに起因して駆動装置等が早期に破損することを防止できる。
【００２０】
しかも、下流側の耳糸ボビンを迂回すべく下流側の耳糸ボビンから離間する方向に引き出された上流側の耳糸ボビンの耳糸を、再度下流側の耳糸ボビンから引き出され耳糸に接近する位置まで案内するにあたり、耳糸ガイドが、下流側の耳糸ボビンからの耳糸の近傍まで上流側の耳糸ボビンの耳糸を案内し、かつ、上流側の耳糸ボビンの耳糸に対しヤーンガイド近傍で積極的に回転運動を与えることができる。これにより、上流側の耳糸ボビンの耳糸が、下流側の耳糸ボビンの下流側で大きくバルーニングしたり、ヤーンガイドの案内面に引っ掛かったりして回転不能となることなく、安定した耳糸の供給が行える。
【００２１】
更に、第２の支持体を、そこに支持される耳糸ボビンが、給糸機構からの耳糸の引き出し方向に対し、それとは反対の向きに耳糸が引き出されるものにすると共に、その耳糸ボビンから引き出された耳糸を、耳糸ボビンから引き出された後に転向されて耳糸ガイドに挿通されるものとすることにより、第２の支持手段に支持された下流側の耳糸ボビンの耳糸は、自らが引き出される耳糸ボビン（下流側の耳糸ボビン）の周りを回転（公転）することになり、これによって少なくとも下流側の耳糸ボビンから引き出される耳糸には撚りが掛けられることになる。従って、従来のように、一対の耳糸のいずれにも全くもしくはほとんど撚りが掛けられないものに比べ織物の耳締まりが良くなる。
【００２２】
また、駆動装置の駆動軸に上記耳糸開口機構が作動連結されたものとし、単一の駆動装置によって耳糸ガイドと耳糸開口機構とを同期駆動するものとすることにより、ねじり耳形成装置の構成を簡素化することができる。
【００２３】
【発明の実施の形態】
以下、本発明の実施の形態を図面に基づいて詳述する。
【００２４】
図１〜図３に示すのは本発明の一実施形態である。本発明に用いられる耳糸開口機構は、例えば、図３に示すようなものであって、緯入れされてねじり耳形成装置９０によって形成された耳糸Ｓ、Ｓの開口内に挿入された緯糸Ｙを絡めることによりねじり耳を形成する。
【００２５】
耳糸開口機構９０は、織機のフレーム（図示せず）に回転可能に支持された回転体９１と、回転体９１に回転（自転）可能に支持された一対の遊星歯車９４、９４と、回転体９１に回転（自転）可能に支持されて各遊星歯車９４、９４の各々に噛合する一対の中継歯車９５、９５と、織機のフレームに固定配置されて回転不能に設けられた太陽歯車９６とを含む。
【００２６】
回転体９１は、円盤状の回転部材９２と軸部９３とからなっており、回転部材９２の一端面に前述の遊星歯車９４、９４及び中継歯車９５、９５が配置され、また、他端面には、軸部９３の一端部が相対回転不能に組み付けられている。軸部９３の他端部には、従動歯車１３が相対回転不能に組み付けられており、この従動歯車１３は、織機の主軸（図示せず）の回転によって回転駆動される駆動歯車１１に噛み合わされており、回転体９１の回転部材９２は、軸部９３、従動歯車１３を介して織機の主軸に同期して回転される。
【００２７】
回転体９１の軸部９３には、回転体９１の回転軸線と直交する方向（直径方向）に貫通孔９３ａが穿設されると共に、孔９３ａから回転体９１の回転軸線に沿って他端側に貫通する孔９３ｂが穿設されており、孔９３ａと孔９３ｂとにより略Ｔ字状の糸通し孔が形成されている。なお、孔９３ｂの軸線は、回転体９１の軸線と一致している。
【００２８】
太陽歯車９６は、円形状の孔の内周面に歯を形成した内歯歯車であり、また、回転体９１の回転部材９２と同心に配置されている。
【００２９】
両遊星歯車９４、９４は、その一方の側面から回転体９１の回転軸線に沿って回転部材９２に向けて突出する軸部９４ａを有しており、その軸部９４ａを介し、回転体９１の回転軸線に対し点対称となる配置で、回転部材９２に回転（自転）可能に取り付けられている。各遊星歯車９４のピッチ円の直径寸法は、太陽歯車９６のピッチ円の直径寸法の半分とされている。また、各遊星歯車９４は、その中心を貫通して伸びる耳糸案内孔９４ｂを有している。
【００３０】
各遊星歯車９４の他方の側面には、案内片９７が相対回転不能に組み付けられており、この案内片９７には、耳糸を通すためのメール９７ａが形成されている。
【００３１】
各中継歯車９５は、その一方の側面から回転体９１の回転軸線に沿って回転部材９２に向けて突出する軸部（図示せず）を有しており、その軸部を介して回転体９１に自転可能に取り付けられている。また、両中継歯車９５、９５は、回転体９１の回転軸線に対し点対称となる位置に配置され、遊星歯車９４及び太陽歯車９６に噛合している。
【００３２】
図１、２に示すのは、本発明の給糸機構の一例を示すものであって、給糸機構１００は、耳糸開口機構９０へ耳糸Ｓ、Ｓを供給するための一対の耳糸ボビンＢ１、Ｂ２のうちの、給糸機構１００の耳糸引き出し方向に関し、その上流側に配置される耳糸ボビンＢ１（第１の耳糸ボビン）を支持する第１の支持体１０と、その下流側に配置される耳糸ボビン（第２の耳糸ボビン）を支持する第２の支持手段２０と、第１の耳糸ボビンＢ１から引き出された耳糸Ｓを第２の耳糸ボビンＢ２周りに回転させる耳糸ガイド３０と、該耳糸ガイド３０に回転運動を与える駆動装置４０とを備える。
【００３３】
なお、上記でいう「給糸機構の耳糸引き出し方向」とは、図示の矢印Ｋで示される方向（図面の左から右方向）であって、耳糸開口機構９０に対し耳糸Ｓ、Ｓを供給するために、給糸機構１００から耳糸Ｓ、Ｓが引き出されるその方向を指すものであり、言い換えれば、第２の耳糸ボビンＢ２の軸線に沿った方向で第１の支持体１０側を上流側とする方向である。従って、上流側とは、図面の左側を指すものであり、逆に、下流側とは、図面の右側を指すものである。以下の説明では、単に「耳糸引き出し方向」ともいう。
【００３４】
図示の例では、第１の支持体１０は、織機のフレームＦ上に固定されて配設されている。第１の支持体１０は、第１の耳糸ボビンＢ１を支持する枠状の部材であって、織機フレームＦに対しボルト等のネジ部材（図示せず）で固定される基部１２と、基部１２から上方に向けて延在する支持部１４と、支持部１４から耳糸引き出し方向に延在するステー部１６とを一体的に組み合わせてなる。
【００３５】
更に、ステー部１６からは、ガイド部１８ａと１８ｂとが下方に向けて延在しており、これらガイド部１８ａ、１８ｂの各々には、第１の耳糸ボビンＢ１から引き出された耳糸Ｓが通されて、この耳糸Ｓを案内するための耳糸ガイド１８ａ１、１８ｂ１が、両者の軸心を一致させるように設けられている。なお、図示の例では、ガイド部１８ａ及び１８ｂは、第１の支持体１０と一体的に設けられているが、これとは別に、織機のフレームＦ上に取り付けられて上方に向けて延在する別部材としてもよい。
【００３６】
そして、以上の構成の第１の支持体１０において、支持部１４には、その支持部１４から耳糸引き出し方向に向けて突出する受け部１４ａが組み付けられており、この受け部１４ａにより、第１の耳糸ボビンＢ１は、その耳糸Ｓの引き出し方向が給糸機構１００の耳糸引き出し方向となるように第１の支持体１０に支持されている。また、第１の耳糸ボビンＢ１は、支持部１４の受け部１４ａに対し、適当な機構（テーパー嵌合、キー及びキー溝等）を利用して相対回転不能に支持されている。
【００３７】
また、ガイド部１８ａと１８ｂとの間には、耳糸ブレーキＲ１が配設されている。この耳糸ブレーキＲ１は、図示しないブラケット等により支持された３本の棒状部材ｒ１、ｒ２、ｒ３を備えており、棒状部材ｒ１、ｒ３によってヤーンガイド１８ａ１、１８ｂ１間の耳糸Ｓの経路を規制すると共に、棒状部材ｒ２を耳糸Ｓの経路から外れた位置に配置し、棒状部材ｒ１、ｒ３間の耳糸Ｓを屈曲させて案内している。この耳糸ブレーキＲ１による屈曲によって引き出す際の耳糸Ｓに引き出し抵抗が与えられるため、これによって第１の支持体１０から引き出される耳糸Ｓに張力が付与される。なお、耳糸Ｓに張力を付与するための手段としては、図示のような屈曲式のものに限らず、バネ部材等によって押圧される一対の板状部材間に耳糸Ｓを保持するもの等の他の型式の装置であってもよい。
【００３８】
第２の支持体２０は、第２の耳糸ボビンＢ２を支持するためのものであって、第１の支持体１０と同様に、織機のフレームＦ上に固定されて配設されている。第２の支持体２０は、織機のフレームＦ上に立設される支持ブラケット２１と、支持ブラケット２１に対しベアリングのような軸受２４を介して回転可能に支持される軸部材２２と、軸部材２４に対しベアリングのような軸受２５を介して支持されるケース部材であって第２の耳糸ボビンＢ２を収容支持するケース部材２３とを含む。
【００３９】
支持ブラケット２１は、織機のフレームＦに対しボルト等のネジ部材（図示せず）により固定配置されている。従って、第２の耳糸ボビンＢ２を支持するケース部材２３は、軸部材２２、支持ブラケット２１を介して織機のフレームＦ上の固定位置に支持されている。
【００４０】
ケース部材２３は、例えば、図２に示すような構成のものであって、一方（上流側）の端部から耳糸引き出し方向に向けて径が拡大する略円錐状の第１の部分２３ａと、この第１の部分２３ａに連続して耳糸引き出し方向に向けて径が縮小する略円錐状の第２の部分２３ｂとで構成されると共に、第１の部分２３ａの耳糸引き出し方向上流側の端部に、第２の耳糸ボビンＢ２を受け入れるための孔２３ｃが形成され、第２の部分２３ｂの耳糸引き出し方向下流側の端部には、軸部材２２を受け入れる孔２３ｄが形成された形状で構成されている。
【００４１】
また、ケース部材２３には、第１の部分２３ａの孔２３ｃに対し蓋部材２６が取り付けられる。この蓋部材２６は、図示しないキー及びキー溝等を用いてケース部材２３の孔２３ｃに対し相対回転不能に挿着される基部２６ａと、基部２６ａから耳糸引き出し方向へ向けて延在する受け部２６ｂを有しており、この受け部２６ｂに第２の耳糸ボビンＢ２が挿着される。従って、蓋部材２６がケース部材２３に挿着された状態で、第２の耳糸ボビンＢ２は、その耳糸Ｓの引き出し方向が給糸機構１００の耳糸引き出し方向となるようにケース部材２３に支持された状態となる。
【００４２】
更に、ケース部材２３には、第２の耳糸ボビンＢ２がケース部材２３内に支持された状態で、第２の耳糸ボビンＢ２の残糸量が確認できるように、第１の部分２３ａに、その長手方向に沿った孔２３ｅが複数個形成されている。また、ケース部材２３内には、第１の支持体１０に対し設けられたものと同様の耳糸ブレーキＲ２が配設されている。
【００４３】
軸部材２２は、軸受２５を介してケース部材２３に受け入れられる小径部２２ａと、軸受２４を介して支持ブラケット２１に支持される大径部２２ｃと、小径部２２ａと大径部２２ｃとを連結する中間部２２ｂとから成っている。また、軸部材２２には、第２の耳糸ボビンＢ２から引き出された耳糸Ｓが挿通可能な貫通孔２２ｄが穿設されている。
【００４４】
なお、軸部材２２は、ケース部材２３に挿着された状態で、同じくケース部材２３に挿着されている蓋部材２６の受け部２６ａと軸心が一致するようにケース部材２３に対し挿着される。また、支持ブラケット２１に支持された状態で第１の支持体１０の受け部１４ａと軸心が一致する位置に支持される。従って、ケース部材２３が軸部材２２を介して支持ブラケット２１に支持された状態では、ケース部材２３に挿着された蓋部材２６の受け部２６ｂと第１の支持体１０の受け部１４ａとの軸心が一致する、すなわち、第１の耳糸ボビンＢ１と第２の耳糸ボビンＢ２との軸心が一致することとなる。
【００４５】
また、軸部材２２の中間部２２ｂには、斜め後方（耳糸引き出し方向上流側）に向けて延在するように耳糸ガイド３０が組み付けられている。この耳糸ガイド３０の軸部材２２の軸線に対する傾斜角は、軸部材２２がケース部材２３に挿着された状態で、ケース部材２３の第２の部分２３ｂの傾斜面が軸部材２２の軸線に対してなす傾斜角とほぼ一致する。すなわち、軸部材２２がケース部材２３に挿着された状態で、ケース部材２３の第２の部分２３ｂの傾斜面とほぼ平行となるように耳糸ガイド３０が軸部材２２に組み付けられている。
【００４６】
耳糸ガイド３０は、第１の耳糸ボビンＢ１から引き出された耳糸Ｓを挿通するための挿通孔３２が穿設されたパイプ状の部材であって、この孔３２は、耳糸ガイド３０が軸部材２２に組み付けられた状態で、軸部材２２の孔２２ｄと合流するするようになっている。
【００４７】
また、耳糸ガイド３０は、その上流側端が、ケース部材２３の軸線に対しその最大径よりも離間した位置であって、かつ、第１の支持体１０の最下流側のヤーンガイド１８ｂ１と耳糸ガイド３０の上流側端とを結ぶ直線が、ケース部材２３の第１の部分２３ａの外側を通過するようにその長さが設定される。従って、第１の支持体１０から引き出されて耳糸ガイド３０に到る耳糸Ｓは、ケース部材２３を迂回した状態で引き出されることとなる。
【００４８】
支持ブラケット２１は、織機のフレームＦにボルト等のネジ部材（図示せず）で固定される基部２１ａと、基部２１ａから上方へ向けて延在する支持部２１ｂと、支持部２１ｂに支持されて軸部２２の大径部２２ｃを軸受２４を介して受け入れて軸部材２２を回転自在に支持する受容部２１ｃとを一体に形成してなる。また、支持ブラケット２１は、受容部２１ｃから斜め後方であって、軸部材２２を介して支持された耳糸ガイド３０及びケース部材２３の第２の部分２３ｂと平行に拡開する略円錐状の保持部２１ｄを有している。
【００４９】
支持ブラケット２１の保持部２１ｄとケース部材２３の第２の部分２３ｂとは、耳糸ガイド３０の旋回を許容する空隙を全周に亘って形成しつつ対面しており、その互いに対向する面には、保持部２１ｄ側に円周方向に間隔をおいて複数の永久磁石２１ｅ、２１ｅ…が埋設されると共に、第２の部分２３ｂのそれと対向する位置に同じく複数の永久磁石２３ｆ、２３ｆ、…が埋設されている。従って、軸部材２２に対し軸受２５を介して回転自在に支持されているケース部材２３は、この永久磁石２１ｅ、２１ｅ…及び２３ｆ、２３ｆ、…の互いの吸引作用により、支持ブラケット２１に対し回転を阻止された状態で保持されている。
【００５０】
また、支持ブラケット２１には、受容部２１ｃの反耳糸ガイド側、すなわち、給糸機構１００の耳糸引き出し方向の最下流側において、駆動装置である駆動モータ４０が支持されている。駆動モータ４０はフランジ部４６を有しており、このフランジ部４６でボルト等のネジ部材（図示せず）により支持ブラケット２１に固定されている。
【００５１】
駆動モータ４０は、その駆動軸４４の軸心が軸部材２２の軸心に一致するように支持ブラケット２１に支持されている。この駆動モータ４０の駆動軸４４は、本体４２の軸心方向の両側に突出しており、軸部材２２側の突出部分が軸部材２２の大径部２２ｃに嵌め込まれる。そして、駆動軸４４と軸部材２２とは、軸部材２２の孔２２ｅに螺着される止めネジ等のネジ部材により、相対回転不能でかつ軸方向に移動不能に連結される。
【００５２】
また、図示のように駆動モータ４０は、その駆動軸４４が軸方向に貫通する孔４４ａを有する中空状のものを用いており、軸部材２２の孔２２ｄに挿通された耳糸Ｓ、Ｓが駆動軸４４内を通過可能となっている。
【００５３】
なお、駆動モータ４０は、図示しない織機の制御装置等によってその駆動を制御されるものであり、その回転が耳糸開口機構９０の回転体９１の回転に同期し、かつ、回転体９１の回転方向に対応した回転方向となるように駆動が制御される。また、図示の例では、駆動モータ４０が耳糸ガイド３０よりも耳糸引き出し方向下流側（最下流側）に配置されているが、これに代えて、第２の支持体２０と耳糸ガイド３０との間に配置してもよい。
【００５４】
以上の構成からなるねじり耳形成装置の作用について説明すると、図３に示すように、給糸機構１００から引き出された一対の耳糸Ｓ、Ｓは、回転体９１の軸部９３の孔９３ａ、９３ｂで形成されたＴ字状の糸通し孔に従動歯車側から通されて糸通し孔で２方向（図面の上下方向）に分けられて引き出される。
【００５５】
糸通し孔において分けられた耳糸Ｓ、Ｓは、各遊星歯車９４の耳糸案内孔９４ｂに従動歯車側から通され、案内片９７のメール９７ａに通され、その後織布の耳部に導かれる。
【００５６】
駆動歯車１１及び従動歯車１３が織機の主軸と同期して回転されると、回転体９１が回転され、これに伴って中継歯車９５，９５が太陽歯車９６に噛み合いながら耳糸開口機構９０の回転軸線周りに公転する。これにより、遊星歯車９４、９４は、耳糸開口機構９０の回転軸線周りに公転すると共に、自身の回転軸線周りに自転する。このとき、遊星歯車９４及び中継歯車９５が耳糸開口機構９０の回転軸線周りを一周すると、各遊星歯車９４は自身の回転軸線周りに２回自転する。
【００５７】
このような耳糸開口機構９０に対し一対の耳糸Ｓ、Ｓを供給する給糸機構１００においては、まず、第２の支持体２０における第２の耳糸ボビンＢ２から引き出される耳糸Ｓは、耳糸ブレーキＲ２を通過後、軸部材２２の孔２２ｄ及び駆動モータ４０の駆動軸４４の孔４４ａを通過してそのまま引き出される。
【００５８】
一方、第１の支持体１０における第１の耳糸ボビンＢ１の耳糸Ｓは、ヤーンガイド１８ａ１、１８ｂ１及びその間の耳糸ブレーキＲ１を通過後、第２の支持体２０のケース部材２３を迂回した状態で耳糸ガイド３０の上流側端に到る。そして、耳糸ガイド３０により転向され、耳糸ガイド３０の孔３２により軸部材２２の孔２２ｄに向けて案内された後、第２の耳糸ボビンＢ２から引き出された耳糸Ｓとともに軸部材２２の孔２２ｄ及び駆動モータ４０の駆動軸４４の孔４４ａを通過後、耳糸開口機構９０に向けて引き出される。
【００５９】
そして、このように引き出される過程において、第１の耳糸ボビンＢ１の耳糸Ｓは、駆動モータ４０の駆動軸４４に連結されて回転運動を与えられる耳糸ガイド３０により、第２の耳糸ボビンＢ２から引き出された耳糸Ｓの周りに回転運動を与えられる。これにより、耳糸開口機構９０の公転運動に伴って開口機構９０と給糸機構１００との間で発生する一対の耳糸Ｓ、Ｓの捻転が撚り戻され、給糸機構１００からの耳糸Ｓ、Ｓの供給がスムースに行われることとなる。
【００６０】
また、給糸機構１００によれば、第１の耳糸ボビンＢ１から引き出される耳糸Ｓを、第２の耳糸ボビンＢ２を支持する第２の支持手段２０を迂回するように案内しつつ、この耳糸Ｓに回転運動を与える耳糸ガイド３０を、第２の支持体２０よりも耳糸引き出し方向の下流側に配置した駆動モータ４０により回転駆動する構成としたため、耳糸ガイド３０を長尺の部材とすることなしに耳糸ガイド３０の下流側端を、第２の耳糸ボビンＢ２の耳糸Ｓを案内する軸部材２２と合流する位置まで延在するものとすることができ、軸部材２２との合流位置まで第１の耳糸ボビンＢ１の耳糸Ｓを確実に案内して積極的に回転運動を与えることが可能となる。そして、その結果として、安定した耳糸Ｓの供給が常に行えるものとなる。
【００６１】
【他の実施形態】
図４、図５に本発明の別の実施形態を示す。なお、図面において、前述の実施形態と共通する部分については同じ符号を付すか、もしくは符号を省略してあり、その部分については以下での詳細な説明は省略する。
【００６２】
前述の実施形態では、第２の耳糸ボビンＢ２からの耳糸Ｓの引き出し方向が、給糸機構からの耳糸引き出し方向と同じ方向となるように第２の支持体が第２の耳糸ボビンＢ２を支持する構成について述べたが、本発明はこれに限らず、図４に示すように、第２の耳糸ボビンＢ２からの耳糸Ｓの引き出し方向が、給糸機構からの耳糸の引き出し方向に対しそれとは反対の向きになるようにしてもよい。
【００６３】
すなわち、図４、５に示す給糸機構２００では、第２の支持体５０のケース部材５３は、前述の実施形態のものと同様に、一方（上流側）の端部から耳糸引き出し方向に向けて径が拡大する略円錐状の第１の部分５３ａと、この第１の部分５３ａに連続して耳糸引き出し方向に向けて径が縮小する略円錐状の第２の部分５３ｂとで構成され、しかも、第１の部分５３ａの耳糸引き出し方向上流側端部に第２の耳糸ボビンＢ２を挿入可能な孔５３ｃが形成されている。
【００６４】
但し、第２の部分５３ｂについては、その下流側端部に軸部材２２の小径部２２ａを受け入れる孔５３ｄが形成されているが、これは貫通孔とはなっておらず、内面側が閉塞される構成となっている。そして、第２の部分５３ｂの孔５３ｄが形成される面と対向する面には、第２の耳糸ボビンＢ２を挿着するための受け部５３ｆが設けられている。
【００６５】
すなわち、給糸機構２００の第２の支持体５０では、第２の耳糸ボビンＢ２は、ケース部材５３の第２の部分５３の内面で、反耳糸引き出し方向（上流側）に向けて延在するように突設された受け部５３ｆに支持され、給糸機構２００の耳糸引き出し方向に対しそれとは反対側に向けて耳糸Ｓが引き出されるように支持されている。
【００６６】
また、このケース部材５３にも蓋部材５６が挿着されるものであり、蓋部材５６は、ケース部材５３の孔５３ｃに挿着される。蓋部材５６には、耳糸引き出し方向の下流側端部に開口してケース部材５３の内部空間に連通する大径の穴５６ａと、耳糸引き出し方向の上流側端部に開口して穴５６ａに連通する小径の貫通孔５６ｂとが形成されており、更に、孔５６ｂにはヤーンガイド５６ｃが挿着されている。
【００６７】
この実施形態の給糸機構２００によれば、第２の支持体５０に支持された第２の耳糸ボビンＢ２から引き出される耳糸Ｓは、上記した構成により、一旦給糸機構２００の耳糸引き出し方向に対しこれとは反対方向に向けて引き出される。そして、耳糸ブレーキＲ２及び蓋部材５６のヤーンガイド５６ｃを通過後、ヤーンガイド５６ｃの位置で転向され、その後、耳糸ガイド３０に向けて引き出される。そして、第１の耳糸ボビンＢ１からの耳糸Ｓと共に、耳糸ガイド３０の孔３２及び軸部材２２の孔２２ｄを経由して耳糸開口機構に向けて引き出される。
【００６８】
なお、この給糸機構２００においても、第１の支持体１０から引き出された耳糸ボビンＢ１の耳糸Ｓが、耳糸ガイド３０との間の回転において第２の耳糸ボビンＢ２から引き出された耳糸Ｓの外側を回転するため、これによって、耳糸開口機構と給糸機構２００との間で発生する両耳糸Ｓ、Ｓの捻転が撚り戻され、耳糸Ｓ、Ｓの供給がスムースに行われる。また、その他の作用についても前述の実施形態と同様である。
【００６９】
更に、この実施形態の給糸機構２００によれば、第２の支持体５０に支持された第２の耳糸ボビンＢ２から引き出された耳糸Ｓは、自身が引き出された第２の耳糸ボビンＢ１周りを回転（公転）するため、この第２の耳糸ボビンＢ２から引き出された耳糸Ｓには撚りが掛けられることとなる。すなわち、この実施形態の給糸機構２００によれば、少なくとも第２の耳糸ボビンＢ２から引き出された耳糸Ｓには撚りが掛けられるため、従来のように一対の耳糸ボビンのいずれにも撚りが掛けられないか、もしくは掛けられても不十分なものに比べ、織物の耳締まりを良くすることができる。
【００７０】
なお、上記の実施形態において、第１の支持体１０に第１の耳糸ボビンＢ１を自転させる、すなわち、第１の耳糸ボビンＢ１を、第１の支持体１０の受け部１４ａの軸心を回転中心として回転させる機構を付設し、第１の耳糸ボビンＢ１から引き出される耳糸Ｓにも撚りが掛けられる構成を採用してもよい。このような構成によれば、織物の耳締まりを更に向上させることができる。
【００７１】
図６、図７に、本発明のねじり耳形成装置の別の実施形態を示す。なお、図面では、第１の支持体が記載されていないが、これは、前述の実施形態と同じものを使用するために記載を省略してある。また、図示の例では、第２の支持体として図４で示した実施形態における第２の支持体と同じものが記載されているが、これは、図１に示す実施形態における第２の支持体と同じものであってもよい。
【００７２】
前述の実施形態では、ねじり耳形成装置における耳糸開口機構と給糸機構とをそれぞれ独立して駆動するものを例として述べたが、本発明はこれに限らず、例えば図６に示すように、耳糸開口機構が給糸機構の駆動モータによって駆動されるものとしてもよい。
【００７３】
すなわち、図６、図７に示すねじり耳形成装置は、給糸機構２００の駆動装置である駆動モータ４０の駆動軸４４に対し耳糸開口機構８０が取り付けられるものである。
【００７４】
図示の例では、耳糸開口機構８０は、駆動モータ４０の駆動軸４４に取り付けられて駆動軸４４の直径方向に延在する回転部８２と、回転部８２の両端から耳糸引き出し方向に延びる支持部８４、８４と、各支持部８４の反駆動モータ側端部から駆動軸４４の軸心側に向けて延びる案内部８６、８６とを一体的に成形してなる。そして、各案内部８６には、耳糸Ｓを通すためのメール８８、８８が形成されている。
【００７５】
回転部８２は、図示しないネジ部材等によって、駆動モータ４０の駆動軸４４の反耳糸ガイド側端部に固定されており、駆動軸４４の孔４４ａに対応する位置に孔８２ａが形成されている。回転部８２は板状であって駆動軸８２ａの軸心から離間する方向に延在しており、その両端で、支持部８４を介して各々がメール８８を有する一対の案内部８６を支持している。そして、この耳糸開口機構８０は、一対のメール８８、８８が、耳糸引き出し方向に関して駆動軸４４の下流側端部から等距離であって、かつ駆動軸４４の軸心に対し点対称に配置されるように構成されている。
【００７６】
給糸機構２００から引き出された一対の耳糸Ｓ、Ｓは、駆動モータ４０の駆動軸４４の孔４４ａを通過後、各耳糸Ｓが、それぞれ異なるメール８８に通され、その後、両耳糸Ｓ、Ｓは織布の耳部に導かれる。
【００７７】
耳糸ガイド３０を回転させるために駆動モータ４０の駆動軸４４が回転駆動されると、耳糸開口機構８０も共に回転され、耳糸ガイド３０と同期して回転駆動される。これにより、一対のメール８８、８８が駆動軸４４の軸線周りを回転（公転）し、その公転に伴って形成される耳糸Ｓ、Ｓの開口内に緯糸が挿入されると共に、両メール８８、８８がその左右位置を反転させることにより、ねじり耳が形成される。
【００７８】
このように、この実施形態によるねじり耳形成装置によれば、本発明による駆動装置が第２の支持体よりも耳糸引き出し方向の下流側に配置されることに着目し、この駆動装置により、耳糸ガイドだけでなく、耳糸開口機構をも駆動する構成としたため、従来必要であった耳糸開口機構に対し織機の主軸の回転を伝達するための機構、もしくは専用モータを省略することができ、ねじり耳形成装置の構成を極めて簡素化することができる。
【００７９】
なお、図示の例では、駆動モータ４０の駆動軸４４を、本体４２の両側に突出させ、上流側端部を耳糸ガイド３０に、下流側端部を耳糸開口機構８０に組み付ける構成としたが、これに代えて、駆動モータ４０の駆動軸４４を耳糸引き出し方向の下流側に向けてのみ本体から突出するものとし、耳糸ガイド３０及び耳糸開口機構を共に駆動モータ４０の下流側に配置して、両者を本体４２の下流側で駆動軸４４に組み付けるものとしてもよい。
【００８０】
また、駆動モータの駆動軸に直接連結する耳糸開口機構は、図６、７に示した構成のものに限らず、図３に示す構成のものであってもよい。また、これとは別に、例えば図８に示すような構成であってもよい。
【００８１】
図８に示すねじり耳形成装置は、前述の実施形態とは給糸機構の第２の支持体の構成が異なるものであって、前述の実施形態では、耳糸ガイドが、ケース部材とこれを回転不能に保持するための保持部との間を旋回する構成を採用しているが、図８に示す例では、これとは別に耳糸ガイドがケース部材周りを旋回する構成を採用している。
【００８２】
図８に示すように、第２の支持体６０は、略中空円筒状のケース部材６３とこれに挿着される蓋部材６６を有しており、蓋部材６６に突設された受け部６６ｂに第２の耳糸ボビンＢ２が挿着され、ケース部材６３が、これに相対回転不能に挿着される蓋部材６６を介して第２の耳糸ボビンＢ２をその内部に収容する構成となっている。なお、蓋部材６６は、ケース部材６３の長手方向（耳糸引き出し方向）の上流側端部に設けられた孔６３ｃに挿着される。
【００８３】
また、ケース部材６３には、その長手方向の下流側端部に孔６３ｄが形成されている。この孔６３ｄには、軸受６５を介して従動歯車６２の軸部６２ａの外周面が受け入れられており、ケース部材６３が、従動歯車６２の軸部６２ａに相対回転可能に支持された状態となっている。
【００８４】
この従動歯車６２には、その中心部に孔６２ｂが形成されており、第２の耳糸ボビンＢ２から引き出された耳糸Ｓが従動歯車６２の下流側に向けて通過可能となっている。更に、この従動歯車６２の反ケース部材側の端面には、フランジ６２ｃ１を有する円筒状のステー部材６２ｃが従動歯車６２と軸心を一致させて組み付けられている。そして、このステー部材６２ｃが軸受６４を介して織機のフレームＦ上に固定配置された支持ブラケット６１に支持されている。従って、従動歯車６２は、ステー部材６２ｃ及び軸受６４を介して支持ブラケット６１、延ては織機のフレームＦに支持されており、第２の耳糸ボビンＢ２を収容するケース部材６３は、このように支持された従動歯車６２に支持されている。
【００８５】
また、ケース部材６３の耳糸引き出し方向上流側の端部にはテーパー部分６３ｆが形成される。一方、織機のフレームＦ上に、このケース部材６３のテーパー部分６３ｆを囲繞する孔６７ａを有する保持ブラケット６７が立設されている。そして、ケース部材６３のテーパー部分６３ｆの外周面と保持ブラケット６７の孔６７ａの内周面とが所定の間隔をおいて互いに対向する構成となっている。更に、その互いに対向する面には、ケース部材側に円周方向に間隔をおいて複数の永久磁石６３ｇ、６３ｇ…が埋設されると共に、保持ブラケット６７側のそれと対向する位置に同じく複数の永久磁石６７ｂ、６７ｂ…が埋設されており、両者の永久磁石の吸引作用によってケース部材６３は回転を阻止された状態となっている。
【００８６】
支持ブラケット６１には、駆動装置である駆動モータ７０が支持されており、駆動モータ７０の駆動軸７２には、従動歯車６２に噛み合う駆動歯車７４が組み付けられている。
【００８７】
更に、従動歯車６２のケース部材側端面には、耳糸ガイド３６が、ケース部材６３の外周上でその長手方向に沿って延在するように組み付けられている。耳糸ガイド３６はＬ字形の部材であって、その先端のケース部材６３から離間する方向に延在する部分３６ａには、第１の支持体（図示せず）から引き出され、ケース部材６３と保持ブラケット６７間の間隙を通過した第１の耳糸ボビンＢ１の耳糸Ｓが挿通される孔６３ｂが形成されている。そして、従動歯車６２の耳糸ガイド３６の孔３６ｂに対向する位置には、第１の耳糸ボビンＢ１の耳糸Ｓの通過を許容する孔６２ｄが形成されている。なお、この耳糸ガイド３６は、図示のようなＬ字形の部材に限らず、従動歯車６２の孔６２ｄに連通して延在するパイプ上の部材であってもよい。
【００８８】
そして、この実施形態では、従動歯車６２の反ケース部材側端面に取り付けられたステー部材６２ｃに、第１の耳糸ボビンＢ１及び第２の耳糸ボビンＢ２から引き出された耳糸Ｓ、Ｓをそれぞれ案内する一対のメール部材８５、８５が取り付けられている。各メール部材８５には、耳糸Ｓを案内するためのメール８５ａが形成されている。そして、この一対のメール８５ａ、８５ａが従動歯車６２の軸線に対し点対称となるように、各メール部材８５、８５は、ステー部材６２ｃの反従動歯車側端面に取り付けられている。
【００８９】
この実施形態のねじり耳形成装置によれば、ステー部材６２ｃは、第２の支持体６０を支持するために機能すると共に、一対のメール８５ａ、８５ａを従動歯車６２の軸線周りに公転させるための部材としても機能する。また、この実施形態では、ケース部材６３の回転を阻止するための永久磁石６３ｇ、６３ｇ…及び６７ｂ、６７ｂが埋設された２つの面６３ｆと面６７ａとの間は、前述の実施形態のように耳糸ガイドが通過することなく、そこを通過するのは第１の耳糸ボビンＢ１から引き出された耳糸Ｓだけであるので、両面の間隔をより接近させることができ、使用する永久磁石の数を減らすことができる。よって、この図８に示す実施形態の構成によれば、部材点数を減らすことが可能となり、ねじり耳形成装置の構成をより簡素化することができる。
【００９０】
なお、図示の構成では、ねじり耳形成装置の耳糸引き出し方向の下流側に、一対のガイド部材Ｇ、Ｇが設けられている（図面では、２つのガイド部材が耳糸引き出し方向に並設されているように示されているが、実際には、２つのガイド部材は紙面と直交する方向に並設されている）。これは、一対のメール８５ａ、８５ａの公転に伴う幅方向（図面における紙面と直交する方向）の耳糸Ｓ、Ｓの移動を規制するためのものである。但し、このガイド部材Ｇ、Ｇは省略してもよい。
【００９１】
【変形例】
以上の実施形態では、耳糸ガイドを駆動するための駆動装置として駆動モータを用いた例を挙げたが、本発明はこれに限らず、図９に示すように、織機の主軸の回転を利用して耳糸ガイドを回転駆動するものとしてもよい。
【００９２】
すなわち、図示の例では、軸部材２２の耳糸引き出し方向の下流側に、支持ブラケット２１の受容部２１ｃに受け入れられる大径部２２ｃに続けて小径部２２ｆを形成すると共に、この小径部２２ｆに従動歯車２２ｇを組み付けてある。そして、この従動歯車２２ｆを噛み合う駆動歯車１９を、その軸部１９ａが、軸受１７を介し、図示しない織機の主軸に連結されて回転駆動される駆動軸１５に連結される構成とする。この構成により、従動歯車２２ｇが織機の主軸に回転駆動され、軸部２２、延ては耳糸ガイド３０が織機の主軸と同期して回転駆動されることとなる。
【００９３】
また、以上の実施形態では、第２の耳糸ボビンＢ２を収容するケース部材の回転阻止を、ケース部材の周面に埋設した複数個の永久磁石と、このケース部材の周面に対向する面を有する回転不能な部材に埋設された永久磁石との吸着作用により行っているが、これに代えて、図１０に示すように、ケース部材の内側下部に設けた重錘５３ｇによりケース部材の回転を阻止する構成としてもよい。そして、この構成によれば、ケース部材周りの構成が簡素化される。
【００９４】
なお、本発明は上記のいずれの実施形態にも限定されるものではなく、本発明の趣旨を逸脱しない限りにおいて種々に変更することが可能である。
【図面の簡単な説明】
【図１】本発明のねじり耳形成装置における給糸機構の一実施形態を示す一部断面側面図。
【図２】図１に示す給糸機構の要部を示す概略斜視図。
【図３】本発明のねじり耳形成装置における耳糸開口機構の一実施形態を示す概略斜視図。
【図４】本発明のねじり耳形成装置における給糸機構の他の実施形態を示す一部断面側面図。
【図５】図４に示す給糸機構の一部を示す概略斜視図。
【図６】本発明のねじり耳形成装置の他の実施形態の要部を示す一部断面側面図。
【図７】図６に示すねじり耳形成装置の耳糸開口機構を示す正面図。
【図８】本発明のねじり耳形成装置の他の実施形態の要部を示す一部断面側面図。
【図９】本発明のねじり耳形成装置における給糸機構の変形例を示す一部断面側面図。
【図１０】本発明のねじり耳形成装置における給糸機構の変形例を示す一部断面側面図。
【符号の説明】
１０  …  第１の支持体
２０、５０、６０  …  第２の支持体
２２  …  軸部材
２３、５３、６３  …  ケース部材
２６ｂ、５３ｆ、６６ｂ  …  受け部
３０  …  耳糸ガイド
４０、７０  …  駆動装置（駆動モータ）
４４  …  駆動軸
８０、９０  …  耳糸開口機構
８５  …  メール部材
８５、８８、９７ａ  …  メール
１００、２００、３００  …  給糸機構
Ｙ  …  緯糸
Ｂ１  …  第１の耳糸ボビン
Ｂ２  …  第２の耳糸ボビン
Ｓ  …  耳糸
【図１】
2004270103.tif 000003
【図２】
2004270103.tif 000004
【図３】
2004270103.tif 000005
【図４】
2004270103.tif 000006
【図５】
2004270103.tif 000007
【図６】
2004270103.tif 000008
【図７】
2004270103.tif 000009
【図８】
2004270103.tif 000010
【図９】
2004270103.tif 000011
【図１０】
2004270103.tif 000012